(57)【特許請求の範囲】
【請求項１】
メッセージサーバが行うイベント権利の承認方法において、
イベント権利管理サーバからイベント権利の細部項目に関する情報を受信するステップと、
前記イベント権利の細部項目に関する情報に基づいてイベント権利をユーザ端末にメッセージ形態で伝達するステップと、
ユーザ端末又はイベント権利管理サーバからイベント権利の処理に関する情報を受信するステップと、
前記処理に関する情報に基づいてイベント権利の処理リクエストメッセージを販売者端末に伝達するステップと、
前記イベント権利管理サーバ又は販売者端末からイベント権利の承認に関する情報を受信するステップと、
前記承認に関する情報に基づいてイベント権利の承認結果メッセージを販売者端末又はユーザ端末に伝達するステップと、
を含む、イベント権利の承認方法。
【請求項２】
前記ユーザ端末は、前記イベント権利を購入したユーザ端末と同一であるか、又は前記イベント権利を購入したユーザ端末と異なる端末である、請求項１に記載のイベント権利の承認方法。
【請求項３】
前記イベント権利の処理に関する情報を受信するステップは、前記ユーザ端末からイベント権利の使用リクエストに関する情報を受信する、請求項１に記載のイベント権利の承認方法。
【請求項４】
前記イベント権利の処理に関する情報を受信するステップは、前記イベント権利管理サーバから前記イベント権利の有効性の判断結果を受信する、請求項１に記載のイベント権利の承認方法。
【請求項５】
前記イベント権利の処理に関する情報を受信するステップは、前記イベント権利管理サーバによってイベント権利が有効であると判断される場合、前記イベント権利管理サーバから前記イベント権利の処理リクエストに関する情報を受信する、請求項１に記載のイベント権利の承認方法。
【請求項６】
前記イベント権利の承認に関する情報を受信するステップは、前記イベント権利管理サーバから前記販売者端末の承認リクエストによる前記イベント権利の承認結果に関する情報を受信する、請求項１に記載のイベント権利の承認方法。
【請求項７】
前記イベント権利の承認に関する情報を受信するステップは、前記販売者端末から前記イベント権利の承認結果に関する情報を受信する、請求項１に記載のイベント権利の承認方法。
【請求項８】
前記イベント権利の処理リクエストメッセージを伝達しようとする販売者端末に関する情報を受信するステップをさらに含む、請求項１に記載のイベント権利の承認方法。
【請求項９】
前記イベント権利の細部項目に関する情報は、前記イベント権利を購入したユーザ端末に関する情報、又は前記イベント権利に対して処理する販売者端末に関する情報を含む、請求項１に記載のイベント権利の承認方法。
【請求項１０】
前記販売者端末に関する情報は、前記処理リクエストメッセージ又は前記承認結果メッセージを販売者端末に伝達するために販売者端末の販売者が登録したメッセージサーバのＩＤを含む、請求項８及び請求項９のいずれか一項に記載のイベント権利の承認方法。
【請求項１１】
前記イベント権利管理サーバは、イベント権利の有効期間が経過しているか、イベント権利が使用リクエストされるときイベント権利を承認処理しようとする販売者が適切であるか、イベント権利が使用リクエストされるとき入力された販売者端末に関する情報が正確であるか、イベント権利がまだ使用されていないか、又はイベント権利が適切な権限のある第２ユーザ端末から使用リクエストされたものであるかを判断することによって前記イベント権利の有効性の判断を行う、請求項１に記載のイベント権利の承認方法。
【請求項１２】
前記イベント権利の承認に関する情報を受信するステップは、前記販売者端末の承認リクエストに応じて前記イベント権利管理サーバが行ったイベント権利の承認結果を受信する、請求項１に記載のイベント権利の承認方法。
【請求項１３】
前記イベント権利の承認に関する情報を受信するステップは、前記販売者端末が行ったイベント権利の承認結果を受信する、請求項１に記載のイベント権利の承認方法。
【請求項１４】
前記販売者端末は、前記イベント権利を使用リクエストしたユーザ端末を互いに区分できるように前記処理リクエストメッセージをユーザ端末によって互いに異なるインターフェースで表示する、請求項１に記載のイベント権利の承認方法。
【請求項１５】
前記販売者端末は、前記イベント権利の処理リクエストメッセージに対応する承認結果メッセージをメッセージサーバから受信すると、前記処理リクエストメッセージを削除するか、又は予め指定されたリザーバに移動させる、請求項１に記載のイベント権利の承認方法。
【請求項１６】
前記販売者端末は、前記イベント権利の処理リクエストメッセージを受信した時刻、前記イベント権利を発行したイベント権利管理サーバの属性、又は前記イベント権利の属性に応じて前記処理リクエストメッセージをグルーピングした後、グルーピングされた結果に対応するチャットルームに処理リクエストメッセージを表示する、請求項１に記載のイベント権利の承認方法。
【請求項１７】
販売者端末が行うイベント権利の承認方法において、
メッセージサーバからユーザ端末が使用リクエストしたイベント権利に関する処理リクエストメッセージを受信するステップと、
前記処理リクエストメッセージに応答して前記イベント権利の承認に関する情報をメッセージサーバ又はイベント権利管理サーバに伝達するステップと、
前記メッセージサーバからイベント権利の承認結果メッセージを受信するステップと、
を含むイベント権利の承認方法。
【請求項１８】
前記メッセージサーバは、前記ユーザ端末の使用リクエストに応じてイベント権利管理サーバでイベント権利の有効性を判断した後、又は前記ユーザ端末からイベント権利の使用リクエストを受信した後に、前記イベント権利に関する処理リクエストメッセージを販売者端末に伝達する、請求項１７に記載のイベント権利の承認方法。
【請求項１９】
前記メッセージサーバは、前記販売者端末に関する情報を用いて処理リクエストメッセージ又は承認結果メッセージを販売者端末に伝達する、請求項１７に記載のイベント権利の承認方法。
【請求項２０】
イベント権利の承認方法を行うメッセージサーバにおいて、
メッセージを送受信することを制御するプロセッサと、
通信部と、
を含み、
前記通信部は、
イベント権利管理サーバからイベント権利の細部項目に関する情報を受信するステップと、
前記イベント権利の細部項目に関する情報に基づいてイベント権利をユーザ端末にメッセージ形態で伝達するステップと、
ユーザ端末又はイベント権利管理サーバからイベント権利の処理に関する情報を受信するステップと、
前記処理に関する情報に基づいてイベント権利の処理リクエストメッセージを販売者端末に伝達するステップと、
前記イベント権利管理サーバ又は販売者端末からイベント権利の承認に関する情報を受信するステップと、
前記承認に関する情報に基づいてイベント権利の承認結果メッセージを販売者端末又はユーザ端末に伝達するステップと、
を行うメッセージサーバ。
【請求項２１】
イベント権利の承認方法を行う販売者端末において、
メッセージを送受信することを制御するプロセッサと、
通信部と、
を含み、
前記通信部は、
メッセージサーバからイベント権利の処理リクエストメッセージを受信するステップと、
前記処理リクエストメッセージに応答して前記イベント権利の承認に関する情報をメッセージサーバ又はイベント権利管理サーバに伝達するステップと、
前記メッセージサーバからイベント権利の承認結果メッセージを受信するステップと、
を行う販売者端末。
【請求項２２】
販売者端末の格納媒体に格納されるアプリケーションにおいて、
前記アプリケーションは、販売者端末のプロセッサによって実行され、
メッセージサーバからイベント権利の処理リクエストメッセージを受信するステップと、
前記処理リクエストメッセージに応答して、前記イベント権利の承認に関する情報をメッセージサーバ又はイベント権利管理サーバに伝達するステップと、
前記メッセージサーバからイベント権利の承認結果メッセージを受信するステップと、
を前記プロセッサに実行させるアプリケーション。
【発明の詳細な説明】
【技術分野】
【０００１】
本発明は、クーポン、商品券、ソーシャルギフトのようなイベント権利の承認方法及びシステムに関し、より詳しくは、販売者端末がメッセンジャーアプリケーションを介してメッセージサーバが送信するメッセージに基づいてイベント権利を承認できる方法及びシステムに関する。
【背景技術】
【０００２】
最近、モバイル商品券、モバイルクーポンなどがモバイル端末を用いてやりとりする状況が増加している。実際に紙の商品券やクーポンよりも遠隔で便利に伝達することができ、商品券／クーポンを格納することが便利なモバイルの形態が増えつつある。
このようなモバイル商品券、モバイルクーポンを用いる時に商品／サービスを提供する販売者の立場では、モバイル商品券、モバイルクーポンなどを認識するためのＰＯＳ（Point of Sale）装置が必要である。そして、このようなＰＯＳ装置に商品券／クーポンを認証するためのモジュールが連動されなければ、商品券／クーポンの使用が不可能である。
しかし、小規模の販売点がＰＯＳ装置を備えて、様々な主体から発行した商品券／クーポンの認証モジュールを全て連動することは多くの作業が必要であり、共に時間が費やされてしまう問題がある。
【発明の概要】
【発明が解決しようとする課題】
【０００３】
本発明は、メッセンジャーアプリケーションを介してモバイル商品券、モバイルクーポンなどのようなイベント権利を取得した後、メッセージサーバを介してイベント権利の承認過程を処理することで、イベント権利の取引に関する信頼度を増加させ得る方法及びシステムを提供する。
【０００４】
本発明は、一般的に多く使用されるメッセンジャーアプリケーションをイベント権利を購入かつ承認するために活用することで、新しい方式を導入するための障壁が低く、より容易に新規方式を拡張できる方法及びシステムを提供する。
【０００５】
本発明は、イベント権利に関する端末の範囲を、イベント権利を購入したり使用したりする一般のユーザのみならず、イベント権利を承認する販売者まで拡張することで、イベント権利をメッセージ形態で処理できるメッセンジャーアプリケーションのインストール及び使用が拡大する可能性のある方法及びシステムを提供する。
【０００６】
本発明は、イベント権利の承認のためにメッセンジャーアプリケーションが使用されるにつれて、メッセンジャーアプリケーションをプラットフォームにする様々なサービスを提供する可能性を高めることができる方法及びシステムを提供する。
【課題を解決するための手段】
【０００７】
本発明の一実施形態に係るメッセージサーバが行うイベント権利の承認方法は、イベント権利管理サーバからイベント権利の細部項目に関する情報を受信するステップと、前記イベント権利の細部項目に関する情報に基づいてイベント権利をユーザ端末にメッセージ形態で伝達するステップと、ユーザ端末又はイベント権利管理サーバからイベント権利の処理に関する情報を受信するステップと、前記処理に関する情報に基づいてイベント権利の処理リクエストメッセージを販売者端末に伝達するステップと、前記イベント権利管理サーバ又は販売者端末からイベント権利の承認に関する情報を受信するステップと、前記承認に関する情報に基づいてイベント権利の承認結果メッセージを販売者端末又はユーザ端末に伝達するステップとを含む。
【０００８】
前記ユーザ端末は、前記イベント権利を購入したユーザ端末と同一であるか、又は前記イベント権利を購入したユーザ端末と異なる端末であり得る。
【０００９】
前記イベント権利の処理に関する情報を受信するステップは、前記ユーザ端末からイベント権利の使用リクエストに関する情報を受信し得る。
【００１０】
前記イベント権利の処理に関する情報を受信するステップは、前記イベント権利管理サーバから前記イベント権利の有効性の判断結果を受信し得る。
【００１１】
前記イベント権利の処理に関する情報を受信するステップは、前記イベント権利管理サーバによってイベント権利が有効であると判断される場合、前記イベント権利管理サーバから前記イベント権利の処理リクエストに関する情報を受信し得る。
【００１２】
前記イベント権利の承認に関する情報を受信するステップは、前記イベント権利管理サーバから前記販売者端末の承認リクエストによる前記イベント権利の承認結果に関する情報を受信し得る。
【００１３】
前記イベント権利の承認に関する情報を受信するステップは、前記販売者端末から前記イベント権利の承認結果に関する情報を受信し得る。
【００１４】
前記イベント権利の処理リクエストメッセージを伝達しようとする販売者端末に関する情報を受信するステップをさらに含み得る。
【００１５】
前記イベント権利の細部項目に関する情報は、前記イベント権利を購入したユーザ端末に関する情報、又は前記イベント権利に対して処理する販売者端末に関する情報を含み得る。
【００１６】
前記販売者端末に関する情報は、前記処理リクエストメッセージ又は前記承認結果メッセージを販売者端末に伝達するために販売者端末の販売者が登録したメッセージサーバのＩＤを含み得る。
【００１７】
前記イベント権利管理サーバは、イベント権利の有効期間が経過しているか、イベント権利が使用リクエストされるときイベント権利を承認処理しようとする販売者が適切であるか、イベント権利が使用リクエストされるとき入力された販売者端末に関する情報が正確であるか、イベント権利がまだ使用されていないか、又はイベント権利が適切な権限のある第２ユーザ端末から使用リクエストされたものであるかを判断することによって前記イベント権利の有効性の判断を行う。
【００１８】
前記イベント権利の承認に関する情報を受信するステップは、前記販売者端末の承認リクエストに応じて前記イベント権利管理サーバが行ったイベント権利の承認結果を受信し得る。
【００１９】
前記イベント権利の承認に関する情報を受信するステップは、前記販売者端末が行ったイベント権利の承認結果を受信し得る。
【００２０】
前記販売者端末は、前記イベント権利を使用リクエストしたユーザ端末を互いに区分できるように前記処理リクエストメッセージをユーザ端末によって互いに異なるインターフェースで表示し得る。
【００２１】
前記販売者端末は、前記イベント権利の処理リクエストメッセージに対応する承認結果メッセージをメッセージサーバから受信すると、前記処理リクエストメッセージを削除するか、又は予め指定されたリザーバに移動させ得る。
【００２２】
前記販売者端末は、前記イベント権利の処理リクエストメッセージを受信した時刻、前記イベント権利を発行したイベント権利管理サーバの属性、又は前記イベント権利の属性に応じて前記処理リクエストメッセージをグルーピングした後、グルーピングされた結果に対応するチャットルームに処理リクエストメッセージを表示し得る。
【００２３】
本発明の一実施形態に係る販売者端末が行うイベント権利の承認方法は、メッセージサーバからユーザ端末が使用リクエストしたイベント権利に関する処理リクエストメッセージを受信するステップと、前記処理リクエストメッセージに応答して前記イベント権利の承認に関する情報をメッセージサーバ又はイベント権利管理サーバに伝達するステップと、前記メッセージサーバからイベント権利の承認結果メッセージを受信するステップとを含む。
【００２４】
前記メッセージサーバは、前記ユーザ端末の使用リクエストに応じてイベント権利管理サーバでイベント権利の有効性を判断した後、又は前記ユーザ端末からイベント権利の使用リクエストを受信した後に、前記イベント権利に関する処理リクエストメッセージを販売者端末に伝達し得る。
【００２５】
前記メッセージサーバは、前記販売者端末に関する情報を用いて処理リクエストメッセージ又は承認結果メッセージを販売者端末に伝達し得る。
【００２６】
本発明の一実施形態に係るイベント権利の承認方法を行うメッセージサーバは、
【００２７】
メッセージを送受信することを制御するプロセッサと、通信部とを含み、前記通信部は、イベント権利管理サーバからイベント権利の細部項目に関する情報を受信するステップと、前記イベント権利の細部項目に関する情報に基づいてイベント権利をユーザ端末にメッセージ形態で伝達するステップと、ユーザ端末又はイベント権利管理サーバからイベント権利の処理に関する情報を受信するステップと、前記処理に関する情報に基づいてイベント権利の処理リクエストメッセージを販売者端末に伝達するステップと、前記イベント権利管理サーバ又は販売者端末からイベント権利の承認に関する情報を受信するステップと、前記承認に関する情報に基づいてイベント権利の承認結果メッセージを販売者端末又はユーザ端末に伝達するステップとを行う。
【００２８】
本発明の一実施形態に係るイベント権利の承認方法を行う販売者端末は、メッセージを送受信することを制御するプロセッサと、通信部とを含み、前記通信部は、メッセージサーバからイベント権利の処理リクエストメッセージを受信するステップと、前記処理リクエストメッセージに応答して前記イベント権利の承認に関する情報をメッセージサーバ又はイベント権利管理サーバに伝達するステップと、前記メッセージサーバからイベント権利の承認結果メッセージを受信するステップとを行う。
【００２９】
本発明の一実施形態に係る販売者端末の格納媒体に格納されるアプリケーションは、前記アプリケーションは、販売者端末のプロセッサによって実行され、メッセージサーバからイベント権利の処理リクエストメッセージを受信するステップと、前記処理リクエストメッセージに応答して、前記イベント権利の承認に関する情報をメッセージサーバ又はイベント権利管理サーバに伝達するステップと、前記メッセージサーバからイベント権利の承認結果メッセージを受信するステップとを含む。
【発明の効果】
【００３０】
本発明の一実施形態によると、メッセンジャーアプリケーションを介してモバイル商品券、モバイルクーポンなどのようなイベント権利を取得した後、メッセージサーバを用いてベント権利の承認過程を処理することで、イベント権利の取引に関する信頼度を増加させることができる。
【００３１】
本発明の一実施形態によると、ユーザ端末のＵＵＩＤ又はメッセンジャーＩＤなどのような固有な識別情報によってイベント権利の承認リクエストが有効であるか否かを判断することで、イベント権利の承認過程における操作の恐れを解消することができる。
【００３２】
本発明の一実施形態によると、一般的に多く使用されるメッセンジャーアプリケーションをイベント権利を購入かつ承認するために活用することで、新しい方式の導入に障壁が低く、より容易に新規方式を拡張することができる。
【００３３】
本発明の一実施形態によると、イベント権利に関する端末の範囲をイベント権利を購入したり使用したりする一般のユーザのみならず、イベント権利を承認する販売者まで拡張することで、イベント権利をメッセージ形態で処理できるメッセンジャーアプリケーションのインストール及び使用が拡大する可能性がある。
【００３４】
本発明の一実施形態によると、イベント権利の承認のためにメッセンジャーアプリケーションが使用されるにつれて、メッセンジャーアプリケーションをプラットフォームにする様々なサービスを提供する可能性を高めることができる。
【図面の簡単な説明】
【００３５】
【図１】本発明の一実施形態に係るイベント権利を承認する過程のための全体システムを示す図である。
【図２】本発明の一実施形態に係るメッセージサーバの動作を説明するフローチャートである。
【図３】本発明の一実施形態に係る販売者端末の動作を説明するフローチャートである。
【図４】本発明の一実施形態に係る図１に示す全体システムがイベント権利を承認する過程を示すフローチャートである。
【図５】本発明の一実施形態によりイベント権利をメッセンジャーアプリケーションを介して受信する例示を示す図である。
【図６】本発明の一実施形態によりイベント権利の使用例示を示す図である。
【図７】本発明の一実施形態によりイベント権利の処理リクエストを受信する例示を示す図である。
【発明を実施するための形態】
【００３６】
以下、本発明の実施形態について添付の図面を参照しながら詳細に説明する。
【００３７】
図１は、本発明の一実施形態に係るイベント権利を承認する過程のための全体システムを示す図である。
【００３８】
図１を参照すると、イベント権利の承認のためのシステムは、第１ユーザ端末１０１、イベント権利管理サーバ１０２、メッセージサーバ１０３、第２ユーザ端末１０４、及び販売者端末１０５を含む。
【００３９】
メッセージサーバ１０３は、第２ユーザ端末１０４又は販売者端末１０５にインストールされたメッセンジャーアプリケーションを介してイベント権利の伝達、イベント権利に関する使用リクエスト送信、イベント権利に関する処理リクエスト送信、又はイベント権利に関する承認結果送信を仲介する。
【００４０】
第１ユーザ端末１０１は、イベント権利管理サーバ１０２を介してイベント権利を購入した第１ユーザの端末を意味する。ここで、イベント権利は、商品又はサービスに対して使用、割引、購買、交換などを受けることができる権利、又は特定の金額だけの価値を有する権利を意味し、商品券、チケット、割引クーポン、交換クーポン、無料利用権、ソーシャルギフトなどの様々な形態で実現きる。
【００４１】
図１では、第１ユーザ端末１０１と第２ユーザ端末１０４を互いに区分して示している。これは、イベント権利を購入した第１ユーザ端末１０１とイベント権利を用いている第２ユーザ端末１０４がそれぞれ異なることを前提にして図示したものである。、イベント権利を購入した主体がイベント権利を用いた主体と同一であれば、図１に示された第１ユーザ端末１０１と第２ユーザ端末１０４は１つの端末として示される。
【００４２】
イベント権利管理サーバ１０２はイベント権利を発行する。イベント権利管理サーバ１０２は、第１ユーザ端末１０１が購入したイベント権利の細部項目に関する情報をメッセージサーバ１０３に伝達する。そして、イベント権利管理サーバ１０２はイベント権利が使用可能であるか、又はすでに使用済みの権利であるかなどのようなイベント権利の有効性を判断する。
【００４３】
又はイベント権利管理サーバ１０２は、販売者端末１０５の承認リクエストに応じてイベント権利を承認する。ここで、販売者端末１０５の承認リクエストは、販売者が販売者端末１０５に表示されたボタンやアイコンを選択することによって生成される。又は、販売者端末１０５の承認リクエストは、販売者が別途の承認情報を販売者端末１０５に入力することによって生成される。ただし、販売者端末１０５でイベント権利を直接承認する場合、イベント権利管理サーバ１０２はイベント権利を承認する必要がない。
【００４４】
メッセージサーバ１０３は、第１ユーザ端末１０１が購入したイベント権利を第２ユーザ端末１０４にメッセージ形態で提供する。ここで、第１ユーザ端末１０１が購入したイベント権利の細部項目に関する情報は、イベント権利管理サーバ１０２から伝達される。イベント権利の細部項目に関する情報は、イベント権利を購入した第１ユーザ端末１０１に関する情報、イベント権利を用いる第２ユーザ端末１０４に関する情報、イベント権利に関する処理リクエストメッセージを受信する販売者端末１０５に関する情報のうち少なくとも１つを含む。
【００４５】
一例として、メッセージサーバ１０３は、イベント権利を表現する文字、イメージ、動画などをメッセージに含ませて第２ユーザ端末１０４に提供する。又は、メッセージサーバ１０３は、イベント権利をダウンロードするか、又はイベント権利を確認できるリンクをメッセージに含ませて第２ユーザ端末１０４に提供してもよい。
【００４６】
第２ユーザ端末１０４は、第１ユーザ端末１０１が購入したイベント権利をメッセージ形態で受信する第２ユーザの端末を意味する。ここで、第２ユーザは、メッセージサーバ１０３から最初にイベント権利を受信したユーザ、又は他のユーザによって共有又は伝達されたイベント権利を受信したユーザであり得る。
【００４７】
上記で説明したように、他人にイベント権利をプレゼントする場合、第１ユーザ端末１０１と第２ユーザ端末１０４がそれぞれ異なる。しかし、自分にイベント権利をプレゼントする場合、第２ユーザ端末１０４は第１ユーザ端末１０１であり得る。第１ユーザ端末１０１は本人にイベント権利を購入し、イベント権利を提供する相手側を自分として決定することで、第１ユーザ端末１０１がメッセージサーバ１０３からイベント権利が提供され得る。
【００４８】
第２ユーザ端末１０４は、イベント権利の使用リクエストを販売者端末１０５に関する販売者のオンライン又はオフライン上の売り場で行ってもよい。ここで、メッセージサーバ１０３がイベント権利の処理リクエストメッセージ又は承認結果メッセージを伝達しようとする販売者端末１０５を把握するために、販売者端末１０５に関する情報が必要なこともある。
【００４９】
一例として、販売者端末１０５に関する情報は、メッセージサーバ１０３がメッセージを送信しようとする販売者端末１０５を識別するための情報を意味する。例えば、販売者端末１０５に関する情報は、販売者端末１０５の販売者がメッセージサーバ１０３に関するメッセージサービスに登録する時に使用したＩＤであり得る。そのため、メッセージサーバ１０３のメッセージサービスを使用できるメッセンジャーアプリケーションが販売者の複数の端末にインストールされた場合、販売者は当該のメッセンジャーアプリケーションがインストールされた端末を介してメッセージサーバからメッセージを受信する。
【００５０】
このような販売者端末１０５に関する情報は、イベント権利管理サーバ１０２に予め登録されるか、又は第２ユーザ端末１０４によって入力される。一方、販売者端末１０５に関する情報は、イベント権利がイベント権利管理サーバ１０２で発行されて第２ユーザ端末１０４に伝達されるとき、又は、第２ユーザ端末１０４によってイベント権利が使用されたときにメッセージサーバ１０３へ伝達される。
【００５１】
又は、第２ユーザ端末１０４でイベント権利の使用リクエストを伝達するとき、第２ユーザ端末１０４は、様々な経路を用いて入手した販売者端末１０５に関する情報をインターフェースを介して入力され、メッセージサーバ１０３に伝達する。ここで、イベント権利の使用リクエストは、メッセージ形態で伝達されたイベント権利の使用リクエストに関するアイコンやボタンなどを選択することで生成される。
【００５２】
一方、販売者端末１０５に関する情報は固有コードに変換され得る。固有コードはオフライン又はオンラインによって配布され、第２ユーザ端末１０４は、インターフェースを介して入力された固有コードを含むイベント権利の使用リクエストを伝達する。
【００５３】
例えば、オフラインを介して伝達される方法は、販売者の売り場の別途ディスプレイに固有コードが表示されるか、又は、購買領収書に固有コードが表示される方法を含む。又は、オンラインによって伝達される方法は、販売者の売り場にインストールされたビーコンを介して第２ユーザ端末１０４に固有コードが伝達されるか、又は、メッセンジャーアプリケーション又は他のアプリケーションを介して固有コードが伝達されてもよい。
【００５４】
販売者端末１０５は、イベント権利に関する承認処理を行う販売者の端末を意味する。ここで、販売者端末１０５は、メッセージサーバ１０３からメッセージを受信できるメッセンジャーアプリケーションがインストールされる端末を意味する。
【００５５】
販売者端末１０５は、第２ユーザ端末１０４が使用リクエストしたイベント権利の承認に関する情報を生成する。一例として、販売者端末１０５は、イベント権利の承認リクエストをイベント権利管理サーバ１０２に伝達する。この場合、イベント権利の承認に関する情報は、イベント権利の承認リクエストを含む。すると、イベント権利管理サーバ１０２は、販売者端末１０５の承認リクエストに応じてイベント権利を承認する。
【００５６】
異なる一例として、販売者端末１０５が直接イベント権利を承認してもよい。この場合、イベント権利の承認に関する情報はイベント権利を承認した結果を含む。
【００５７】
ここで、イベント権利の承認に関する情報は、販売者端末１０５から入力された承認のための入力に基づいて生成される。ここで、承認のための入力は、処理リクエストメッセージに挿入されて表示されるか、又は、処理リクエストメッセージと別に販売者端末１０５に表示されるアイコン、ボタンなどのインターフェースを選択することを意味する。加えて、承認のための入力は、販売者端末１０５に入力された承認情報（例えば、販売者を認証できる暗証番号、近距離無線通信をサポートする別途装置のタッチを通した装置情報）を入力することを含む。
【００５８】
本発明の一実施形態によると、第２ユーザ端末１０４及び販売者端末１０５は、メッセージサーバ１０３に関わっているメッセンジャーアプリケーションを介してイベント権利に関する様々な形態の情報を受信し得る。一例として、第２ユーザ端末１０４は、メッセージサーバ１０３に関わっているメッセンジャーアプリケーションを用いてメッセージ形態でイベント権利をメッセージサーバ１０３から受信する。そして、販売者端末１０５は、メッセージサーバ１０３からメッセンジャーアプリケーションを用いてイベント権利の処理リクエストメッセージを受信する。また、第２ユーザ端末１０４又は販売者端末１０５は、メッセンジャーアプリケーションを介してイベント権利の承認結果メッセージを受信する。そのため、第２ユーザ端末１０４及び販売者端末１０５は、メッセンジャーアプリケーションを介して便利にイベント権利の使用又は承認に関する情報を受信することができる。
【００５９】
図２は、本発明の一実施形態に係るメッセージサーバの動作を説明するフローチャートである。
【００６０】
ステップ２０１において、メッセージサーバ１０３は、イベント権利の細部項目に関する情報をイベント権利管理サーバ１０２から受信する。ここで、イベント権利の細部項目に関する情報は、イベント権利を購入した第２ユーザ端末１０４に関する情報又はイベント権利に対して処理する販売者端末１０５に関する情報を含む。
【００６１】
ここで、第２ユーザ端末１０４に関する情報や販売者端末１０５に関する情報は、メッセージサーバ１０３がイベント権利に関する様々なメッセージを第２ユーザ端末１０４又は販売者端末１０５に送信するために必要な情報である。ここで、イベント権利の細部項目に関する情報は、イベント権利管理サーバ１０２がイベント権利を発行しながら生成される。
【００６２】
ステップ２０２において、メッセージサーバ１０３は、イベント権利を第２ユーザ端末１０４に伝達する。一例として、メッセージサーバ１０３は、第２ユーザ端末１０４にインストールされたメッセンジャーアプリケーションを介してイベント権利をメッセージ形態で第２ユーザ端末１０４へ提供する。すると、第２ユーザ端末１０４は、イベント権利の使用リクエストをイベント権利管理サーバ１０２に直接伝達するか、又はメッセージサーバ１０３を介してイベント権利管理サーバ１０２に伝達する。
【００６３】
一例として、第２ユーザ端末１０４は、第２ユーザ端末１０４に表示されるイベント権利を使用リクエストに関するアイコンやボタンなどのような識別子に対する入力を受信し、イベント権利を使用リクエストする。イベント権利の細部項目に関する情報が販売者端末１０５に関する情報を含まない場合、イベント権利の処理リクエストメッセージ又は承認結果メッセージが販売者端末１０５に伝達されるよう、第２ユーザ端末１０４を介して販売者端末１０５に関する情報が入力される。すると、第２ユーザ端末１０４によって入力された販売者端末１０５に関する情報はメッセージサーバ１０３に伝達され得る。
【００６４】
又は、第２ユーザ端末１０４がイベント権利を使用リクエストする場合、イベント権利管理サーバ１０２に予め登録された販売者端末１０５に関する情報がメッセージサーバ１０３に伝達され得る。
【００６５】
その後、イベント権利管理サーバ１０２は、イベント権利の使用リクエストに応答して、イベント権利の有効性を判断する。一例として、イベント権利の有効性の判断は、イベント権利の有効期間が経過しているか、イベント権利が使用リクエストされる時イベント権利を承認処理しようとする販売者が適切であるか、イベント権利が使用リクエストされるとき入力された販売者端末１０５に関する情報が正確であるか、イベント権利がまだ使用されていないか、イベント権利が適切な権限のある第２ユーザ端末１０４から使用リクエストされたものであるか、などのような判断基準によって実行される。
【００６６】
ステップ２０３において、メッセージサーバ１０３は、第２ユーザ端末１０４又はイベント権利管理サーバ１０２からイベント権利の処理に関する情報を受信する。
【００６７】
イベント権利管理サーバ１０２は、第２ユーザ端末１０４から伝達されたイベント権利の使用リクエストに応答してイベント権利の有効性を判断する（ＣＡＳＥ１）。すると、イベント権利管理サーバ１０２でイベント権利の有効性の判断が実行された後に、メッセージサーバ１０３はイベント権利管理サーバ１０２からイベント権利の処理に関する情報を生成する。すなわち、メッセージサーバ１０３がイベント権利管理サーバ１０２から受信するイベント権利の処理に関する情報は、イベント権利の使用リクエストに対するイベント権利管理サーバ１０２の応答情報であり得る。
【００６８】
ＣＡＳＥ１で説明するイベント権利の使用リクエストに関する情報は、第２ユーザ端末１０４から直接イベント権利管理サーバ１０２に伝達され得る（ＣＡＳＥ１−１）。又は、ＣＡＳＥ１で説明するイベント権利の使用リクエストに関する情報は、第２ユーザ端末１０４からメッセージサーバ１０３に伝達され、メッセージサーバ１０３は、イベント権利の使用リクエストに関する情報をイベント権利管理サーバ１０２に伝達する（ＣＡＳＥ１−２）。
【００６９】
ＣＡＳＥ１によると、イベント権利管理サーバ１０２は、第２ユーザ端末１０４によって生成されたイベント権利の使用リクエストに応答してイベント権利の有効性の判断を行った後、イベント権利の処理に関する情報をメッセージサーバ１０３に伝達する。すなわち、ＣＡＳＥ１によると、イベント権利の処理に関する情報は、イベント権利管理サーバ１０２が第２ユーザ端末１０４の使用リクエストに応答してイベント権利の有効性の判断を行った後、メッセージサーバ１０３に伝達される情報であり得る。
【００７０】
一例として、イベント権利管理サーバ１０２は、イベント権利が有効であるか又は有効でないかを示すイベント権利の有効性の判断結果をメッセージサーバ１０３に伝達する。この場合、イベント権利の処理に関する情報は、イベント権利の有効性の判断結果になる。
【００７１】
異なる一例として、イベント権利が有効であると判断される場合、イベント権利管理サーバ１０２は、メッセージサーバ１０３がイベント権利の処理リクエストメッセージを販売者端末１０５に伝達できるよう、イベント権利の処理に関する情報を伝達する。この場合、イベント権利の処理に関する情報は、メッセージサーバ１０３がイベント権利の処理リクエストメッセージを送信するとき必要な情報を含む。、イベント権利が有効でないと判断される場合、イベント権利管理サーバ１０２は、イベント権利の処理に関する情報をメッセージサーバ１０３に伝達しない。
【００７２】
ＣＡＳＥ１とは異なって、第２ユーザ端末１０４によりイベント権利の使用リクエストが発生しても、イベント権利管理サーバ１０２によるイベント権利の有効性の判断が省略されてもよい（ＣＡＳＥ２）。ＣＡＳＥ２によると、メッセージサーバ１０３は、第２ユーザ端末１０４からイベント権利の処理に関する情報を受信する。ここで、メッセージサーバ１０３が第２ユーザ端末１０４から受信するイベント権利の処理に関する情報は、イベント権利の使用リクエストに関する情報であり得る。
【００７３】
ステップ２０４において、メッセージサーバ１０３は、イベント権利の処理に関する情報に基づいて処理リクエストメッセージを販売者端末１０５に伝達する。ここで、処理リクエストメッセージは、販売者端末１０５がイベント権利に対して承認処理を行うことができるよう、メッセージサーバ１０３がメッセンジャーアプリケーションを介して販売者端末１０５に伝達するメッセージを意味する。
【００７４】
ステップ２０５において、メッセージサーバ１０３はイベント権利の承認に関する情報を受信する。
【００７５】
イベント権利管理サーバ１０２がイベント権利を承認する（ＣＡＳＥ  Ａ）。そのために、販売者端末１０５は、メッセージサーバ１０３から受信したイベント権利の処理リクエストメッセージに応答して、イベント権利の承認リクエストに関する情報をイベント権利管理サーバ１０２に伝達する。
【００７６】
ＣＡＳＥ  Ａで説明するイベント権利の承認リクエストに関する情報は、販売者端末１０５から直接イベント権利管理サーバ１０２に伝達され得る（ＣＡＳＥ  Ａ−１）。又は、ＣＡＳＥ  Ａで説明するイベント権利の承認リクエストに関する情報は、販売者端末１０５からメッセージサーバ１０３に伝達され、メッセージサーバ１０３は、イベント権利の承認リクエストに関する情報をイベント権利管理サーバ１０２に伝達する（ＣＡＳＥ  Ａ−２）。
【００７７】
ＣＡＳＥ  Ａによると、イベント権利管理サーバ１０２は、イベント権利の承認リクエストに関する情報によりイベント権利を承認する。、ＣＡＳＥ２のように、イベント権利管理サーバ１０２がイベント権利の使用リクエストに応答してイベント権利の有効性を判断しない場合、イベント権利管理サーバ１０２は、イベント権利の承認リクエストに応答してイベント権利を承認するときイベント権利の有効性の判断も共に行う。
【００７８】
すると、イベント権利管理サーバ１０２は、イベント権利の承認結果に関する情報をメッセージサーバ１０３に伝達する。ここで、ステップ２０５で説明するイベント権利の承認に関する情報は、イベント権利管理サーバ１０２から伝達されるイベント権利の承認結果に関する情報であり得る。
【００７９】
ＣＡＳＥ  Ａとは異なって、販売者端末１０５が直接イベント権利を承認する（ＣＡＳＥ  Ｂ）。すなわち、販売者端末１０５は、メッセージサーバ１０３から受信したイベント権利の処理リクエストメッセージに応答して直接イベント権利を承認する。すると、ステップ２０５で説明するイベント権利の承認に関する情報は、販売者端末１０５から伝達されるイベント権利の承認結果に関する情報であり得る。
【００８０】
、ＣＡＳＥ２のように、イベント権利管理サーバ１０２がイベント権利の使用リクエストに応答してイベント権利の有効性を判断しない場合、販売者端末１０５は、イベント権利の有効性の判断結果を確認した後、イベント権利が有効な場合、イベント権利を承認する。
【００８１】
ここで、販売者端末１０５でイベント権利の承認リクエストが生成されたり、販売者端末１０５又はイベント権利管理サーバ１０２でイベント権利の承認が実行されたりするため、販売者端末１０５で承認のための入力が必要であり得る。ここで、承認のための入力は、処理リクエストメッセージに挿入されて表示されるか、又は、処理リクエストメッセージとは別に販売者端末１０５に表示されるアイコン、ボタンなどを選択することを意味する。
【００８２】
又は、承認のための入力は、販売者端末１０５からイベント権利の承認をするために必要な承認情報が入力されることも含む。ここで、イベント権利の承認情報は、販売者を認証できる暗証番号、近距離無線通信をサポートする別途装置のタッチを通した装置情報などを含む。
【００８３】
、承認のための入力にイベント権利の承認情報を含む場合、販売者端末１０５又はイベント権利管理サーバ１０２は、イベント権利の承認情報を用いてイベント権利を承認する。
【００８４】
ステップ２０６において、メッセージサーバ１０３は、イベント権利管理サーバ１０２又は販売者端末１０５から受信したイベント権利の承認に関する情報に基づいてイベント権利の承認結果メッセージを販売者端末１０５に伝達する。それだけではなく、メッセージサーバ１０３は、イベント権利の承認結果メッセージを第２ユーザ端末１０４にも伝達する。
【００８５】
上記で説明したように、イベント権利の承認結果メッセージは、イベント権利管理サーバ１０２又は販売者端末１０５によって実行されたイベント権利の承認過程により生成された承認結果を含む。また、イベント権利の承認結果メッセージは、今後承認の取消しが可能である内容を含んでもよい。
【００８６】
図３は、本発明の一実施形態に係る販売者端末の動作を説明するフローチャートである。
【００８７】
ステップ３０１において、販売者端末１０５は、イベント権利の処理リクエストメッセージをメッセージサーバ１０３から受信する。
【００８８】
上記で説明したように、メッセージサーバ１０３は、イベント権利管理サーバ１０２又は第２ユーザ端末１０４から伝達されたイベント権利の処理に関する情報に基づいてイベント権利の処理リクエストメッセージを生成する。
【００８９】
ＣＡＳＥ１のように、イベント権利管理サーバ１０２がイベント権利の有効性を判断するために、イベント権利管理サーバ１０２にイベント権利の使用リクエストに関する情報が伝達される場合、イベント権利の処理に関する情報はイベント権利の使用リクエストに関する応答情報であり得る。
【００９０】
そして、ＣＡＳＥ２の場合、イベント権利の処理に関する情報は、第２ユーザ端末１０４からメッセージサーバ１０３に伝達されたイベント権利の使用リクエストに関する情報である。
【００９１】
ステップ３０２において、販売者端末１０５は、イベント権利の承認に関する情報をメッセージサーバ１０３又はイベント権利管理サーバ１０２に伝達する。
【００９２】
ＣＡＳＥ  Ａのように、イベント権利管理サーバ１０２がイベント権利の承認を行ってもよい。この場合、販売者端末１０５は、イベント権利管理サーバ１０２にイベント権利の承認リクエストに関する情報を伝達する。ここで、イベント権利の承認リクエストに関する情報は、ＣＡＳＥ  Ａ−１のように販売者端末１０５から直接イベント権利管理サーバ１０２に伝達され得る。又は、イベント権利の承認リクエストに関する情報は、ＣＡＳＥ  Ａ−２のように販売者端末１０５からメッセージサーバ１０３を介してイベント権利管理サーバ１０２に伝達される。
【００９３】
一方、ＣＡＳＥ  Ｂのように、販売者端末１０５が直接イベント権利の承認を行ってもよい。この場合、販売者端末１０５は、メッセージサーバ１０３にイベント権利の承認結果に関する情報を伝達する。
【００９４】
したがって、ＣＡＳＥ  Ａのように、イベント権利管理サーバ１０２がイベント権利の承認を行う場合、ステップ３０２で説明するイベント権利の承認に関する情報は、販売者端末１０５からイベント権利管理サーバ１０２に直接伝達するか、又は、メッセージサーバ１０３を経てイベント権利管理サーバ１０２に伝達するイベント権利の承認リクエストに関する情報であり得る。
【００９５】
一方、ＣＡＳＥ  Ｂのように、販売者端末１０５がイベント権利の承認を行う場合、ステップ３０２で説明するイベント権利の承認に関する情報は、販売者端末１０５がメッセージサーバに伝達するイベント権利の承認結果に関する情報であり得る。
【００９６】
ここで、販売者端末１０５でイベント権利の承認リクエストが生成されるか、又はイベント権利の承認が実行されるために、販売者端末１０５で承認のための入力が求められることもある。ここで、承認のための入力は、処理リクエストメッセージに挿入されて表示されるか、又は処理リクエストメッセージとは別に販売者端末１０５に表示されるアイコン、ボタンなどを選択することを意味する。
【００９７】
又は、承認のための入力は、販売者端末１０５から承認情報が入力されることも含んでもよい。ここで、イベント権利の承認情報は、販売者を認証できる暗証番号、近距離無線通信をサポートする別途装置のタッチを通した装置情報を含む。この場合、イベント権利管理サーバ１０２は、販売者端末１０５から直接イベント権利の承認情報を受信するか、又は、メッセージサーバ１０３を介してイベント権利の承認情報を受信してイベント権利を承認する。
【００９８】
ステップ３０３において、販売者端末１０５は、イベント権利の承認結果メッセージをメッセージサーバ１０３から受信する。販売者端末１０５は、メッセージサーバ１０３が配布したメッセンジャーアプリケーションを介して処理リクエストメッセージと承認結果メッセージを受信する。また、イベント権利の承認結果メッセージは、今後承認取消しが可能である内容を含んでもよい。
【００９９】
図４は、本発明の一実施形態に係る図１に示す全体システムがイベント権利を承認する過程を示すフローチャートである。
【０１００】
ステップ４０１において、第１ユーザ端末１０１は、イベント権利の購買リクエストをイベント権利管理サーバ１０２に伝達する。一例として、イベント権利発行サーバ１０２は、ホームショッピングサーバ、チケット購買代行サーバ、ソーシャルコマースサーバ、商品券販売サーバなどの特定の金額、商品又はサービス関するイベント権利を生成／管理／販売するサーバである。
【０１０１】
図１では、第１ユーザ端末１０１と第２ユーザ端末１０４を互いに区分して示している。これはイベント権利を購入した第１ユーザ端末１０１とイベント権利を用いた第２ユーザ端末１０４がそれぞれ異なることを前提に図示したものである。、イベント権利を購入した主体とイベント権利を用いた主体とが同一であれば、図１に示された第１ユーザ端末１０１と第２ユーザ端末１０４は１つの端末に示される。
【０１０２】
ステップ４０２において、イベント権利管理サーバ１０２は、イベント権利の細部項目に関する情報をメッセンジャーサーバ１０３に伝達する。ここで、イベント権利の細部項目に関する情報は、イベント権利管理サーバ１０２がイベント権利を発行することによって生成される。
【０１０３】
ここで、イベント権利の細部項目に関する情報は、イベント権利の詳細情報、又はイベント権利管理サーバ１０２に格納されたイベント権利にアクセス／ダウンロードできるＵＲＬ情報のような接続情報などを含む。ここで、イベント権利の詳細情報は、イベント権利に関する商品／サービス名、数量、使用期間、識別番号、使い先、オフライン店又はオンライン店に関するページリンクなどを含んでもよい。
【０１０４】
一方、イベント権利の細部項目に関する情報は、イベント権利を購入した第１ユーザ端末１０１の情報、イベント権利を用いる第２ユーザ端末１０４の情報、イベント権利の承認に関連する販売者端末１０５の情報を含む。
【０１０５】
ステップ４０３において、メッセージサーバ１０３は、イベント権利管理サーバ１０２が発行したイベント権利を第２ユーザ端末１０４に伝達する。
【０１０６】
ここで、第２ユーザ端末１０４にメッセージサーバ１０３で配布したメッセンジャーアプリケーションがインストールされている場合、メッセージサーバ１０３は、メッセンジャーアプリケーションで参加できるチャットルームを用いてイベント権利を含むメッセージを第２ユーザ端末１０４に伝達する。ここで、メッセージは、第１ユーザ端末１０１が選択した特定の金額、商品又はサービス関するイベント権利そのものを含んでもよいし、イベント権利が発行されたという通知と共に、イベント権利をダウンロードするイベント権利に関する情報を含んでもよい。
【０１０７】
ここで、第１ユーザ端末１０１と第２ユーザ端末１０４は、ソーシャルネットワークにおける友人関係であってもよい。又は、第１ユーザ端末１０１と第２ユーザ端末１０４が友人関係でなくても、メッセージサーバ１０３が配布するメッセンジャーアプリケーションが第１ユーザ端末１０１と第２ユーザ端末１０４にインストールされるか、又は、メッセージサーバ１０３が提供するメッセンジャーサービスに登録される必要がある。
【０１０８】
、第２ユーザ端末１０４がメッセンジャーアプリケーションをインストールしていない場合、メッセージサーバ１０３は、メッセンジャーアプリケーションのインストールを誘導するダウンロードリンクと共に、第１ユーザ端末１０１が選択した特定の金額、商品、又はサービス関するイベント権利が発行されたという通知を第２ユーザ端末１０４に伝達する。
【０１０９】
本発明の一実施形態によると、他人にイベント権利をプレゼントする場合、第１ユーザ端末１０１と第２ユーザ端末１０４がそれぞれ異なり得る。しかし、自分にイベント権利をプレゼントする場合、第２ユーザ端末１０４は第１ユーザ端末１０１であり得る。第１ユーザ端末１０１は本人にイベント権利を購入し、イベント権利を提供する相手側を自分として決定することで、第１ユーザ端末１０１がメッセージサーバ１０３からイベント権利を提供される。
【０１１０】
図２及び図３を参照して説明したように、イベント権利管理サーバ１０２が第２ユーザ端末１０４の使用リクエストに応答してイベント権利の有効性を判断する（ＣＡＳＥ１）。又は、ＣＡＳＥ１とは異なって、第２ユーザ端末１０４によりイベント権利の使用リクエストが発生しても、イベント権利管理サーバ１０２によるイベント権利の有効性の判断が省略され得る（ＣＡＳＥ２）。
【０１１１】
ＣＡＳＥ１によると、ステップ４０４で、第２ユーザ端末１０４は、イベント権利の使用リクエストに関する情報をイベント権利管理サーバ１０２に直接伝達する（ＣＡＳＥ１−１）。又は、ステップ４０５で、第２ユーザ端末１０４は、イベント権利の使用リクエストに関する情報をメッセージサーバ１０３に伝達する（ＣＡＳＥ１−２）。この場合、ステップ４０６で、メッセージサーバ１０３は、第２ユーザ端末１０４から受信したイベント権利の使用リクエストに関する情報をイベント権利管理サーバ１０２に伝達する。
【０１１２】
一方、ＣＡＳＥ２によると、ステップ４０５のように、第２ユーザ端末１０４は、イベント権利の使用リクエストに関する情報をメッセージサーバ１０３に伝達する（ＣＡＳＥ２）。この場合、イベント権利管理サーバ１０２がイベント権利の使用リクエストに応答しないため、メッセージサーバ１０３は、ステップ４０６のようにイベント権利の使用リクエストに関する情報をイベント権利管理サーバ１０２に伝達する必要がない。
【０１１３】
ＣＡＳＥ１によって、イベント権利管理サーバ１０２がイベント権利の使用リクエストに関する情報を受信すると、ステップ４０７において、イベント権利管理サーバ１０２は、イベント権利の使用リクエストに応答してイベント権利の有効性を判断する。すなわち、ＣＡＳＥ１によると、ステップ４０７、ステップ４０８が実行される。
【０１１４】
一例として、イベント権利管理サーバ１０２は、イベント権利の有効期間が経過しているか、イベント権利が使用リクエストされるときイベント権利を承認処理しようとする販売者が適切であるか、イベント権利が使用リクエストされるとき入力された販売者端末１０５に関する情報が正確であるか、イベント権利がまだ使用されていないか、イベント権利が適切な権限のある第２ユーザ端末１０４から使用リクエストされたものであるか、を確認することでイベント権利の有効性を判断する。
【０１１５】
すると、ステップ４０８において、イベント権利管理サーバ１０２は、イベント権利の処理に関する情報をメッセージサーバ１０３に伝達する。
【０１１６】
すなわち、ＣＡＳＥ１によると、イベント権利管理サーバ１０２は、ステップ４０７で第２ユーザ端末１０４により生成されたイベント権利の使用リクエストに応答してイベント権利の有効性の判断を行った後、ステップ４０８でイベント権利の処理に関する情報をメッセージサーバ１０３に伝達する。すなわち、ＣＡＳＥ１によると、イベント権利の処理に関する情報は、イベント権利管理サーバ１０２が第２ユーザ端末１０４の使用リクエストに応答してイベント権利の有効性の判断を行った後メッセージサーバ１０３に伝達される情報であり得る。
【０１１７】
一例として、イベント権利管理サーバ１０２は、イベント権利が有効であるか又は有効でないかを示すイベント権利の有効性の判断結果をメッセージサーバ１０３に伝達する。この場合、イベント権利の処理に関する情報は、イベント権利の有効性の判断結果となる。
【０１１８】
異なる一例として、イベント権利が有効であると判断される場合、イベント権利管理サーバ１０２は、メッセージサーバ１０３がイベント権利の処理リクエストメッセージを販売者端末１０５に伝達できるようイベント権利の処理に関する情報を伝達する。この場合、イベント権利の処理に関する情報は、メッセージサーバ１０３がイベント権利の処理リクエストメッセージを送信するとき必要な情報を含む。、イベント権利が有効でないと判断される場合、イベント権利管理サーバ１０２は、イベント権利の処理に関する情報をメッセージサーバ１０３に伝達しない。
【０１１９】
ＣＡＳＥ２によると、メッセージサーバ１０３は、第２ユーザ端末１０４からイベント権利の処理に関する情報を受信する。ここで、メッセージサーバ１０３が第２ユーザ端末１０４から受信するイベント権利の処理に関する情報は、ステップ４０５で第２ユーザ端末１０４が伝達したイベント権利の使用リクエストに関する情報であり得る。言い換えれば、ＣＡＳＥ２によると、イベント権利管理サーバ１０２がイベント権利の使用リクエストに応答して、ステップ４０７のようなイベント権利の有効性を判断する過程が行われないため、イベント権利の処理に関する情報は、第２ユーザ端末１０４から伝達されたイベント権利の使用リクエストに関する情報となる。
【０１２０】
すると、ステップ４０９において、メッセージサーバ１０３は、イベント権利の処理に関する情報によりイベント権利の処理リクエストメッセージを販売者端末１０５に伝達する。
【０１２１】
メッセージサーバ１０３が処理リクエストメッセージを販売者端末１０５に送信するため、販売者端末１０５に関する情報が必要なこともある。一例として、販売者端末１０５に関する情報は、販売者端末１０５の販売者がメッセージサーバ１０３に関するメッセージサービスに登録するとき使用したＩＤを含む。そのために、メッセージサーバ１０３のメッセージサービスを使用できるメッセンジャーアプリケーションが販売者の複数の端末にインストールされた場合、販売者は、当該のメッセンジャーアプリケーションがインストールされた端末を介してメッセージサーバからメッセージを受信できる。
【０１２２】
販売者端末１０５に関する情報は、イベント権利管理サーバ１０２に予め登録されてもよい。ここで、イベント権利がイベント権利管理サーバ１０２で発行されて第２ユーザ端末１０４に伝達されるとき、販売者端末１０５に関する情報はイベント権利管理サーバ１０２からメッセージサーバ１０３に伝達され得る。
【０１２３】
又は、イベント権利の使用リクエストが第２ユーザ端末１０４からメッセージサーバ１０３に伝達されるとき、販売者端末１０５に関する情報はイベント権利管理サーバ１０２からメッセージサーバ１０３に伝達され得る。
【０１２４】
一方、販売者端末１０５に関する情報は、第２ユーザ端末１０４がイベント権利を使用リクエストするとき、第２ユーザ端末１０４によって直接入力されてもよい。販売者端末１０５に関する情報は固有コードに変換される。固有コードはオフライン又はオンラインによって配布され、第２ユーザ端末１０４は、インターフェースを介して入力された固有コードを含むイベント権利の使用リクエストを伝達する。
【０１２５】
例えば、オフラインを介して伝達される方法は、販売者の売り場の別途ディスプレイに固有コードが表示されるか、又は購買領収書に固有コードが表示される方法を含む。又はオンラインによって伝達される方法は、販売者の売り場にインストールされたビーコンを介して第２ユーザ端末１０４に固有コードが伝達されるか、又は、メッセンジャーアプリケーション又は他のアプリケーションを介して固有コードが伝達され得る。
【０１２６】
ステップ４０９において、メッセージサーバ１０３は、イベント権利の処理リクエストメッセージを販売者端末１０５に伝達する。メッセージサーバ１０３は、販売者端末１０５に関する情報に基づいて販売者端末１０５を特定する。イベント権利の処理リクエストメッセージは、イベント権利管理サーバ１０２がイベント権利を承認できるよう、メッセージサーバ１０３が承認処理のために販売者端末１０５に伝達するメッセージを意味する。
【０１２７】
本発明の一実施形態によると、販売者端末１０５にイベント権利の処理リクエストメッセージが伝達された後にイベント権利管理サーバ１０２がイベント権利を承認する場合（ＣＡＳＥ  Ａ）と、販売者端末１０５がイベント権利を承認する場合（ＣＡＳＥ  Ｂ）とに区分される。
【０１２８】
ＣＡＳＥ  Ａによると、ステップ４１０において、販売者端末１０５は、メッセージサーバ１０３から受信したイベント権利の処理リクエストメッセージに応答して、イベント権利の承認リクエストに関する情報をイベント権利管理サーバ１０２に伝達する（ＣＡＳＥ  Ａ−１）。一方、ＣＡＳＥ  Ａによると、ステップ４１１において、販売者端末１０５は、メッセージサーバ１０３から受信したイベント権利の処理リクエストメッセージに応答して、イベント権利の承認リクエストに関する情報をメッセージサーバ１０３に伝達する。すると、ステップ４１２において、メッセージサーバ１０３は、販売者端末１０５から受信したイベント権利の承認リクエストに関する情報をイベント権利管理サーバ１０２に伝達する。
【０１２９】
すると、ステップ４１３において、イベント権利管理サーバ１０２はイベント権利の承認を行った後、ステップ４１６において、イベント権利管理サーバ１０２はイベント権利の承認結果に関する情報をメッセージサーバ１０３に伝達する。
【０１３０】
、上記で説明したＣＡＳＥ２のように、イベント権利の有効性の判断過程が省略された場合、イベント権利管理サーバ１０２はイベント権利の承認を行うときイベント権利の有効性の判断を共に行ってもよい。
【０１３１】
そして、ＣＡＳＥ  Ｂによると、ステップ４１４において、販売者端末１０５は、イベント権利の処理リクエストメッセージに応答してイベント権利の承認を行う。すると、ステップ４１５において、販売者端末１０５は、イベント権利の承認結果に関する情報をメッセージサーバ１０３に伝達する。
【０１３２】
、上記で説明したＣＡＳＥ２のように、イベント権利の有効性の判断過程が省略された場合、イベント権利の承認が実行される前に販売者端末１０５又はイベント権利管理サーバ１０２によってイベント権利の有効性の判断が共に行ってもよい。
【０１３３】
ここで、販売者端末１０５でイベント権利の承認リクエストが生成されたり、販売者端末１０５又はイベント権利管理サーバ１０２でイベント権利の承認が実行されたりするために、販売者端末１０５で承認のための入力が必要であり得る。ここで、承認のための入力は、処理リクエストメッセージに挿入されて表示されるか、又は、処理リクエストメッセージと別に販売者端末１０５に表示されるアイコン、ボタンなどを選択することを意味する。
【０１３４】
又は、承認のための入力は、販売者端末１０５からイベント権利の承認をするために必要な承認情報が入力されることも含んでもよい。ここで、承認情報は、イベント権利管理サーバ１０２又は販売者端末１０５でイベント権利を承認するとき用いてもよい。ここで、承認情報は販売者を認証できる暗証番号、近距離無線通信をサポートする別途の装置のタッチを通した装置情報を含む。
【０１３５】
メッセージサーバ１０３は、ステップ４１５で販売者端末１０５から受信したイベント権利の承認結果に関する情報、又は、ステップ４１６でイベント権利管理サーバ１０２から受信したイベント権利の承認結果に関する情報に基づいて承認結果メッセージを生成する。その後、ステップ４１７において、メッセージサーバ１０３は、承認結果メッセージを販売者端末１０５に伝達する。同様に、ステップ４１８において、メッセージサーバ１０３は、承認結果メッセージを第２ユーザ端末１０４に伝達する。承認結果メッセージは、今後承認取消しが可能であるという内容まで含み得る。
【０１３６】
図５は、本発明の一実施形態によりイベント権利をメッセンジャーアプリケーションを介して受信する例示を示す図である。
【０１３７】
図５を参照すると、第１ユーザ端末１０１が購入したイベント権利である商品券が第２ユーザ端末１０４に伝達されたチャットウィンドウを示している。第１ユーザ端末１０１はユーザＡと関連し、第２ユーザ端末１０４はユーザＢと関連する。本発明の一実施形態によると、イベント権利はメッセージサーバ１０３が関ったメッセンジャーアプリケーションを介して第２ユーザ端末１０４に伝達される。
【０１３８】
図５に示すように、イベント権利が第２ユーザ端末１０４に伝達される場合、第１ユーザ端末１０１が購入したイベント権利の細部項目に関する情報が、メッセージに含まれて第２ユーザ端末１０４に伝達されてもよい。又は、メッセージとは別に、イベント権利の細部項目に関する情報が第２ユーザ端末１０４に伝達されてもよい。
【０１３９】
ここで、イベント権利に細部項目に関する情報は、イベント権利の詳細情報、又は、イベント権利管理サーバ１０２に格納されたイベント権利にアクセス／ダウンロードできるＵＲＬ情報のような接続情報などを含む。ここで、イベント権利の詳細情報は、イベント権利に関する商品／サービス名、数量、使用期間、識別番号、使い先、オフライン店、又はオンライン店に関するページリンクなどを含む。
【０１４０】
一例として、イベント権利の細部項目に関する情報は、イベント権利を購入した第２ユーザ端末１０４に関する情報、又は、イベント権利に対して処理する販売者端末１０５に関する情報を含む。ここで、第２ユーザ端末１０４に関する情報や販売者端末１０５に関する情報は、メッセージサーバ１０３がイベント権利に関する様々なメッセージを第２ユーザ端末１０４又は販売者端末１０５に送信するために参考にする情報であり得る。ここで、イベント権利の細部項目に関する情報は、イベント権利管理サーバ１０２がイベント権利を発行しながら生成される。
【０１４１】
図５は、他人にイベント権利を提供する例示を示すものである。すなわち、図５に示すように、他人にイベント権利をプレゼントする場合、第１ユーザ端末１０１と第２ユーザ端末１０４がそれぞれ異なり得る。
【０１４２】
一方、本発明の一実施形態によると、自分にイベント権利を提供する場合まで含んでもよい。言い換えれば、自分にイベント権利をプレゼントする場合、第２ユーザ端末１０４は第１ユーザ端末１０１であり得る。第１ユーザ端末１０１は本人にイベント権利を購入し、イベント権利を提供する相手側を自分として決定することで、第１ユーザ端末１０１がメッセージサーバ１０３からイベント権利を提供される。
【０１４３】
図６は、本発明の一実施形態によりイベント権利の使用例示を示す図である。
【０１４４】
メッセンジャーアプリケーションを介して伝達されたイベント権利に対して、第２ユーザ端末１０４のリクエストに応じてイベント権利の観覧リクエストがあれば、図６に示すようにイベント権利の細部項目が表示される。
【０１４５】
図６を参照すると、イベント権利の細部項目は、イベント権利の識別番号、イベント権利の使用期限、イベント権利の使用場所、イベント権利の使用金額などを含む。
【０１４６】
図６に図示していないが、イベント権利の細部項目に関する情報は、イベント権利を購入した第２ユーザ端末１０４に関する情報、又はイベント権利に対して処理する販売者端末１０５に関する情報を含む。ここで、第２ユーザ端末１０４に関する情報や販売者端末１０５に関する情報は、メッセージサーバ１０３がイベント権利に関する様々なメッセージを第２ユーザ端末１０４又は販売者端末１０５に送信するために参考とする情報であり得る。ここで、イベント権利の細部項目に関する情報は、イベント権利管理サーバ１０２がイベント権利を発行しながら生成される。
【０１４７】
ここで、第２ユーザ端末１０４は、イベント権利である商品券を使用リクエストする。この場合、上記で説明したＣＡＳＥ１によると、イベント権利の使用リクエストに関する情報は、イベント権利の有効性を判断するイベント権利管理サーバ１０２に伝達される。ここで、イベント権利の使用リクエストに関する情報は、第２ユーザ端末１０４からイベント権利管理サーバ１０２に直接伝達され得る（ＣＡＳＥ１−１）。又は、イベント権利の使用リクエストに関する情報は、メッセージサーバ１０３を経てイベント権利管理サーバ１０２に伝達され得る（ＣＡＳＥ１−２）。
【０１４８】
一方、ＣＡＳＥ２によると、イベント権利の使用リクエストに対応してイベント権利管理サーバ１０２がイベント権利の有効性を判断しない。そのため、イベント権利の使用リクエストに関する情報は、第２ユーザ端末１０４からメッセージサーバ１０３に伝達される。
【０１４９】
一方、販売者端末１０５に関する情報は、イベント権利管理サーバ１０２がイベント権利を発行しながら、メッセージサーバ１０３に伝達するイベント権利の細部項目に関する情報に含まれ得る。又は、第２ユーザ端末１０４によってイベント権利の使用リクエストが発生するとき、販売者端末１０５に関する情報がメッセージサーバ１０３に伝達される。イベント権利が発行されて第２ユーザ端末１０４に伝達される時、又はイベント権利の使用リクエスト時メッセージサーバ１０３に伝達される販売者端末１０５に関する情報はイベント権利管理サーバ１０２に予め登録される。
【０１５０】
異なる一例として、イベント権利を使用リクエストするとき、第２ユーザ端末１０４は販売者端末１０５に関する情報を入力できるインターフェースを表示する。すると、第２ユーザ端末１０４は、インターフェースを介して販売者端末１０５に関する情報を受信する。
【０１５１】
一例として、販売者端末１０５に関する情報は、メッセージサーバ１０３がメッセージを送信しようとする販売者端末１０５を識別するための情報を意味する。例えば、販売者端末１０５に関する情報は、販売者端末１０５の販売者がメッセージサーバ１０３に関わったメッセージサービスに登録するとき使用したＩＤを含む。そのために、メッセージサーバ１０３のメッセージサービスを使用できるメッセンジャーアプリケーションが販売者の複数の端末にインストールされた場合、販売者は、当該のメッセンジャーアプリケーションがインストールされた端末を介してメッセージサーバからメッセージを受信する。
【０１５２】
一方、販売者端末１０５に関する情報は固有コードに変換される。固有コードはオフライン又はオンラインによって配布され、第２ユーザ端末１０４は、インターフェースを介して入力された固有コードを含むイベント権利の使用リクエストを伝達する。
【０１５３】
例えば、オフラインを介して伝達される方法は、販売者の売り場の別途ディスプレイに固有コードが表示されるか、又は、購買領収書に固有コードが表示される方法を含む。又は、オンラインによって伝達される方法は、販売者の売り場にインストールされたビーコンを介して第２ユーザ端末１０４に固有コードが伝達されるか、又はメッセンジャーアプリケーション又は他のアプリケーションを介して固有コードが伝達され得る。
【０１５４】
図７は、本発明の一実施形態によりイベント権利の処理リクエストを受信する例示を示す図である。
【０１５５】
図７Ａは、販売者端末１０５にイベント権利の処理リクエストメッセージが伝達された結果を示す。そして、図７Ｂは、承認処理のために販売者端末１０５がイベント権利の詳細項目を表示することを示す。
【０１５６】
図４を参照して説明したように、イベント権利の処理リクエストメッセージは、（ｉ）ＣＡＳＥ１によりイベント権利管理サーバ１０２がイベント権利の使用リクエストに応答してイベント権利の有効性を判断した後、メッセージサーバ１０３がイベント権利管理サーバ１０２からイベント権利の処理に関する情報を受信するか、又は（ｉｉ）ＣＡＳＥ２によりイベント権利の有効性の判断が進行されず、メッセージサーバ１０３が第２ユーザ端末１０４からイベント権利の使用リクエストを受信することによって生成される。
【０１５７】
一方、販売者端末１０５に伝達された処理リクエストメッセージは、イベント権利を使用リクエストした第２ユーザ端末１０４を区分するために第２ユーザ端末１０４ごとに区別されたチャットルームを用いて表示される。
【０１５８】
また、販売者端末１０５に伝達された処理リクエストメッセージは、１つのチャットルームを用いて表示される。ここで、イベント権利を使用リクエストした第２ユーザ端末１０４を区分するために、第２ユーザ端末１０４ごとに互いに異なるインターフェースを介して表示される。例えば、対話表示領域をそれぞれ相異に表現するか、又は第２ユーザ端末１０４の名前の部分をハイライト、太字、斜体、フォントのサイズ増加、下線などの強調することによって、処理リクエストメッセージは第２ユーザごとにそれぞれ相異に表現されることができる。
【０１５９】
また、販売者端末１０５に入力された処理リクエストメッセージが続けて増加する場合、販売者端末１０５が処理リクエストメッセージを確認し難いことがある。これにより、販売者端末１０５は、処理リクエストメッセージに対応する承認結果メッセージをメッセージサーバ１０３から受信すると、当該処理リクエストメッセージを削除するか又は別途の格納フォルダに移動する。又は、販売者端末１０５は、予め設定された期間（一日、一週間など）が経過すると、処理リクエストメッセージを削除するか又は別途の格納フォルダに移動する。
【０１６０】
それだけではなく、販売者端末１０５は、処理リクエストメッセージをグルーピングする。一例として、販売者端末１０５は、イベント権利の処理リクエストメッセージを受信した時刻、前記イベント権利を発行したイベント権利管理サーバ１０２の属性、又はイベント権利の属性に応じて処理リクエストメッセージをグルーピングした後、グルーピングされた結果に対応するチャットルームに処理リクエストメッセージを表示する。
【０１６１】
ここで、イベント権利の処理リクエストメッセージを受信した時刻は、販売者端末１０５がイベント権利の処理リクエストメッセージをメッセージサーバ１０３から受信した時刻を意味する。例えば、販売者端末１０５は、イベント権利の処理リクエストメッセージを受信した時刻が午後２時から４時までの処理リクエストメッセージをグルーピングしてもよい。この場合、時間調整は販売者端末１０５によって可能になる。
【０１６２】
そして、イベント権利管理サーバ１０２の属性は、イベント権利を発行したイベント権利管理サーバ１０２を運営する運営主体（企業）の名称、サイトを意味する。すなわち、同一のイベント権利サーバ１０２から発行されたイベント権利の処理リクエストメッセージは、グルーピングされた後１つのチャットルームに表示される。
【０１６３】
また、イベント権利の属性は、イベント権利の利益主体が個人であるか又は団体であるか、第２ユーザ端末１０４がイベント権利によってリクエストした商品又はサービス、イベント権利に割り当てられた費用などを意味する。
【０１６４】
図７Ａに示すように、販売者端末１０５の販売者がイベント権利の処理リクエストメッセージに表示された「承認処理」というボタンを選択すると、図７Ｂに示すように、販売者端末１０５の販売者が承認処理を行うために参考にするための詳細情報が表示される。
【０１６５】
すると、販売者は詳細情報を確認し、イベント権利に関する承認リクエストを選択する場合にイベント権利の承認処理が行われる。イベント権利の承認処理は、販売者端末１０５から入力された承認のための入力に基づいて行われる。ここで、承認のための入力は、処理リクエストメッセージに挿入されて表示されるか、又は、処理リクエストメッセージとは別に販売者端末１０５に表示されるアイコン、ボタンなどを選択することを意味する。
【０１６６】
又は、承認のための入力は、販売者端末１０５から承認情報が入力されるものも含んでもよい。ここで、イベント権利の承認情報は、販売者を認証できる暗証番号、近距離無線通信をサポートする別途装置のタッチを通した装置情報などを含む。
【０１６７】
一例として、イベント権利の承認は、イベント権利管理サーバ１０２で実行されるか（ＣＡＳＥ  Ａ）、又は販売者端末１０５で実行され得る（ＣＡＳＥ  Ｂ）。ＣＡＳＥ  Ａによると、イベント権利の承認のための入力によってイベント権利の承認リクエストに関する情報が生成され、このようなイベント権利の承認リクエストに関する情報はイベント権利管理サーバ１０２に伝達される。
【０１６８】
ここで、イベント権利の承認リクエストに関する情報は、販売者端末１０５からイベント権利管理サーバ１０２に直接伝達されるか（ＣＡＳＥ  Ａ−１）、又は、販売者端末１０５からメッセージサーバ１０３を経てイベント権利管理サーバ１０２に伝達される（ＣＡＳＥ  Ａ−２）。
【０１６９】
イベント権利管理サーバ１０２は、イベント権利の承認リクエストに応答してイベント権利を承認処理した後、承認結果に関する情報をメッセージサーバ１０３に伝達する。その後、メッセージサーバ１０３は、イベント権利の承認結果に関する情報に基づいた承認結果メッセージを生成した後、販売者端末１０５又は第２ユーザ端末１０４に伝達する。
【０１７０】
一方、ＣＡＳＥ  Ｂによると、販売者端末１０５は、イベント権利の処理リクエストメッセージに応答して直接イベント権利の承認を行う。この場合、販売者端末１０５は、イベント権利の承認結果に関する情報をメッセージサーバ１０３に伝達する。その後、メッセージサーバ１０３は、イベント権利の承認結果に関する情報に基づいた承認結果メッセージを生成した後、販売者端末１０５又は第２ユーザ端末１０４に伝達する。
【０１７１】
上述したように実施形態をたとえ限定された図面によって説明したが、当技の術分野で通常の知識を有する者であれば、前記に基づいて様々な技術的な修正及び変形を適用することができる。例えば、説明された技術が説明された方法と異なる順序で実行されたり、及び／又は説明されたシステム、構造、装置、回路などの構成要素が説明された方法と異なる形態で結合又は組合わせられたり、他の構成要素又は均等物によって置き換えたり置換されたりしても適切な結果を達成することができる。
【０１７２】
したがって、他の具現、他の実施形態、及び特許請求の範囲と均等なものも後述する特許請求の範囲に属する。
【符号の説明】
【０１７３】
１０１：第１ユーザ端末
１０２：イベント権利管理サーバ
１０３：メッセージサーバ
１０４：第２ユーザ端末
１０５：販売者端末
【図１】
0006343402.tif 000002
【図２】
0006343402.tif 000003
【図３】
0006343402.tif 000004
【図４】
0006343402.tif 000005
【図５】
0006343402.tif 000006
【図６】
0006343402.tif 000007
【図７】
0006343402.tif 000008